(57)【特許請求の範囲】
【請求項１】
柱と梁で区画される開口部分に構築される耐震壁であって、
八角形状の環状枠体および該環状枠体の斜辺と一体成形により連結されて当該環状枠体内に採光・通風用の複数の孔部を形成する格子体から構成され、該環状枠体の斜辺同士が向かい合う配列で上記開口部分に縦横方向に配設され互いに接合されて、当該開口部分に該格子体によって斜方構造要素を構成しかつまた該環状枠体の縦辺および横辺で取り囲んだ採光・通風用の開口を形成し、かつ、上記柱や上記梁に対し、該環状枠体の縦辺や横辺が接合されるプレキャストコンクリート製八角形ブロックと、
該八角形ブロックの上記環状枠体の斜辺と上記柱や上記梁との間の隙間にこれを封止すべく配設され、これらに接合されるプレキャストコンクリート製封止ブロックとを備えたことを特徴とする耐震壁。
【請求項２】
前記八角形ブロック同士、該八角形ブロックと前記封止ブロック、該八角形ブロックと前記柱や前記梁、該封止ブロックと該柱や該梁は、それぞれ互いに接着材で接合されることを特徴とする請求項１に記載の耐震壁。
【請求項３】
前記封止ブロックは、前記八角形ブロックの斜辺の長さに合致する長さの斜辺と、該八角形ブロックの縦辺や横辺の長さに合致する長さの頂辺を備える等脚台形状ブロックを含むことを特徴とする請求項１または２に記載の耐震壁。
【請求項４】
前記八角形ブロックは、斜辺の長さが縦辺や横辺の長さよりも長く形成されることを特徴とする請求項１〜３いずれかの項に記載の耐震壁。
【請求項５】
前記八角形ブロックおよび前記封止ブロックは、強度の高いコンクリートで形成されることを特徴とする請求項１〜４いずれかの項に記載の耐震壁。
【請求項６】
柱と梁で区画される開口部分に耐震壁を構築する方法であって、
請求項１に記載のプレキャストコンクリート製八角形ブロックおよびプレキャストコンクリート製封止ブロックを用い、
上記開口部分にその内周に沿って適宜に、上記封止ブロックを配設し、かつ該開口部分に縦横に、上記八角形ブロックを配設していき、互いに対面し合うこれらブロック相互やこれらブロックと上記柱および上記梁とを接着材で接合していくことを特徴とする耐震壁の構築方法。
【発明の詳細な説明】
【技術分野】
【０００１】
本発明は、耐震壁としての耐震強度を確保しつつ、合理的に採光や通風を確保することが可能であるとともに、居ながらで施工することが可能な耐震壁およびその構築方法に関する。
【背景技術】
【０００２】
柱と梁で区画される開口部分に、プレキャストコンクリート製のブロックを配置して構築される耐震壁としては、例えば特許文献１が知られている。特許文献１では、おおよそ、外周に外向きの凹溝が形成され全体として四辺形をなす耐震ブロックと、これを半分にして三角形をなす山形ブロックとを多数用意し、建物の柱と梁に囲まれた構面に、前記耐震ブロックの２本の対角線を上下方向と左右方向とに個別に向けた姿勢で、且つ隣り合う耐震ブロックどうしの各一辺を対向させることにより両耐震ブロックの凹溝どうしによって補強筋を収容する空間を作りながら、前記多数の耐震ブロックと山形ブロックとを建て込むとともに、前記凹溝どうしにより形成される空間にコンクリートモルタル等の固結材を充填して、この固結材と前記露出した補強筋とを介して隣接する各耐震ブロックどうしを連結することにより前記構面の耐震性を強化するようにしている。
【０００３】
耐震ブロックは、Ｖ字状を含み、三角形をなす場合や多角形である場合もある。耐震ブロックには、外周の前記凹溝を形成した部分を枠状に残してその中央部に表裏貫通する窓状孔が形成される。これら耐震ブロック等が配設される全体で枠状をなす左右の柱と上下の梁との内側には外端フレームが設けられる。この外端フレームは、各柱と各梁に、これらの長手方向に沿って２列をなして植設されるアンカー筋と、前記長手方向に延在して設置される主筋と、これらを連結する帯筋と、これらの鉄筋を被覆するように打設される現場打ちコンクリートとからなる。コンクリートは少なくとも柱及び梁に近接した位置の各ブロックが建て込まれた後に打設される。さらに、窓状孔については、柱と梁とに囲まれた構面が開放的な印象を受けるばかりか、気流及び光を通過させることができる。
【特許文献１】特開平９−２２８６５３号公報
【発明の開示】
【発明が解決しようとする課題】
【０００４】
ところで、従来の耐震壁にあっては、柱と梁で区画される開口部分が耐震壁で封鎖されることに対して、採光や通風を確保するにあたり、ブロックに単に窓状孔を形成するようにしていた。このようにブロックに単純に窓状孔を形成すると、耐震壁そのものの強度低下が懸念され、耐震強度を確保することが難しいという課題があった。また、開口部分に組まれたブロックを柱や梁に接合する構成として、アンカー筋などの各種鉄筋を配筋した上で現場打ちコンクリートを打設して外端フレームを構築するようにしていて、特に既設の柱・梁架構に耐震壁を増設する場合など、アンカー筋を既設の柱や梁に定着させるアンカー施工が必要であって、居住者の移転を伴わずに居ながらの施工を行うことができないという課題があった。
【０００５】
本発明は上記従来の課題に鑑みて創案されたものであって、耐震壁としての耐震強度を確保しつつ、合理的に採光や通風を確保することが可能であるとともに、居ながらで施工することが可能な耐震壁およびその構築方法を提供することを目的とする。
【課題を解決するための手段】
【０００６】
本発明にかかる耐震壁は、柱と梁で区画される開口部分に構築される耐震壁であって、八角形状の環状枠体および該環状枠体の斜辺と一体成形により連結されて当該環状枠体内に採光・通風用の複数の孔部を形成する格子体から構成され、該環状枠体の斜辺同士が向かい合う配列で上記開口部分に縦横方向に配設され互いに接合されて、当該開口部分に該格子体によって斜方構造要素を構成しかつまた該環状枠体の縦辺および横辺で取り囲んだ採光・通風用の開口を形成し、かつ、上記柱や上記梁に対し、該環状枠体の縦辺や横辺が接合されるプレキャストコンクリート製八角形ブロックと、該八角形ブロックの上記環状枠体の斜辺と上記柱や上記梁との間の隙間にこれを封止すべく配設され、これらに接合されるプレキャストコンクリート製封止ブロックとを備えたことを特徴とする。
【０００７】
前記八角形ブロック同士、該八角形ブロックと前記封止ブロック、該八角形ブロックと前記柱や前記梁、該封止ブロックと該柱や該梁は、それぞれ互いに接着材で接合されることを特徴とする。
【０００８】
前記封止ブロックは、前記八角形ブロックの斜辺の長さに合致する長さの斜辺と、該八角形ブロックの縦辺や横辺の長さに合致する長さの頂辺を備える等脚台形状ブロックを含むことを特徴とする。
【０００９】
前記八角形ブロックは、斜辺の長さが縦辺や横辺の長さよりも長く形成されることを特徴とする。
【００１０】
前記八角形ブロックおよび前記封止ブロックは、強度の高いコンクリートで形成されることを特徴とする。
【００１１】
本発明にかかる耐震壁の構築方法は、柱と梁で区画される開口部分に耐震壁を構築する方法であって、上記プレキャストコンクリート製八角形ブロックおよびプレキャストコンクリート製封止ブロックを用い、上記開口部分にその内周に沿って適宜に、上記封止ブロックを配設し、かつ該開口部分に縦横に、上記八角形ブロックを配設していき、互いに対面し合うこれらブロック相互やこれらブロックと上記柱および上記梁とを接着材で接合していくことを特徴とする。
【発明の効果】
【００１２】
本発明にかかる耐震壁およびその構築方法にあっては、耐震壁としての耐震強度を確保しつつ、合理的に採光や通風を確保することができるとともに、居ながらで施工することができる。具体的には、従来のようにブロック自体に単に窓状孔などを形成するのとは異なり、単体で形成された八角形ブロック同士の組み合わせによって、八角形ブロックそのものの強度は高く確保しつつ、採光や通風を確保する開口を合理的に耐震壁内に形成することができる。そしてこの開口の配列により、耐震壁のデザイン性も向上することができる。開口部分内に格子体によって斜方構造要素を構成するようにしたので、この斜方構造要素により、開口部分に入力され斜辺を介して作用する圧縮力や引張力を適切に支持させることができ、八角形ブロックとしても、また耐震壁としても、その構造強度を高く確保することができる。また、格子体と環状枠体とで構成される複数の孔部により、さらに通風や採光を確保することができる。八角形ブロックの縦辺と横辺の長さを異ならせることは可能で、これによりデザイン的に開口の形態を変更することができる。
【発明を実施するための最良の形態】
【００１３】
以下に、本発明にかかる耐震壁およびその構築方法の好適な一実施形態を、添付図面を参照して詳細に説明する。本実施形態にかかる耐震壁１は基本的には、図１から図３に示すように、柱２と梁３で区画される開口部分４に構築される耐震壁であって、八角形状の環状枠体５および環状枠体５の斜辺ｗと一体成形により連結されて当該環状枠体５内に採光・通風用の複数の孔部Ｈを形成する格子体６から構成され、環状枠体５の斜辺ｗ同士が向かい合う配列で開口部分４に縦横方向に配設され互いに接合されて、当該開口部分４に格子体６によって斜方構造要素１１を構成しかつまた環状枠体５の縦辺ｙおよび横辺ｘで取り囲んだ採光・通風用の開口Ｓを形成し、かつ、柱２や梁３に対し、環状枠体５の縦辺ｙや横辺ｘが接合されるプレキャストコンクリート製八角形ブロック７と、八角形ブロック７の環状枠体５の斜辺ｗと柱２や梁３との間の隙間にこれを封止すべく配設され、これらに接合されるプレキャストコンクリート製封止ブロックとして、等脚台形状ブロック８とを備えて構成される。
【００１４】
柱２と梁３で構成される柱・梁架構には、左右一対の柱２と上下一対の梁３で区画して、矩形状の開口部分４が形成される。この開口部分４に耐震壁１が構築される。本実施形態にあっては、耐震壁１は、開口部分４に積み上げられる八角形ブロック７と、これら八角形ブロック７と柱２や梁３の間に生ずる隙間を封止する等脚台形状ブロック８とから構成される。図２には八角形ブロック７が示されていて、図２（ａ）はその正面図、図２（ｂ）は図２（ａ）中、Ａ−Ａ線矢視断面図である。八角形ブロック７は厚さが一定であって、その外形輪郭は、向かい合う縦辺ｙ同士が互いに平行かつ同一長さ寸法であり、向かい合う横辺ｘ同士も互いに平行かつ同一長さ寸法であり、さらに縦辺ｙと横辺ｘとをつなぐ４つの斜辺ｗがすべて同一長さ寸法であって互いに向かい合うもの同士が平行に形成される。縦辺ｙと横辺ｘの長さ寸法は同じにしても、異ならせてもよい。
【００１５】
八角形ブロック７は、八角形状の環状枠体５と、この環状枠体５内方に設けられる井の字形状の格子体６とが一体的に成形されて構成される。格子体６は、４つの格子片６ａが縦横に交差されて形成され、各格子片６ａが、向かい合う斜辺ｗの上端間あるいは下端間をつなぐように配設されることで、当該格子体６は環状枠体５の斜辺ｗに連結される。これにより、環状枠体５内には、格子体６で仕切って、複数の孔部Ｈが形成される。これら環状枠体５および格子体６の格子片６ａには、適宜に補強用鉄筋を埋設してもよい。また、格子体６の強度を、環状枠体５の強度よりも高く設定することが好ましい。このようにすることで、斜辺ｗを介して斜め方向から作用する圧縮力や引張力を、高強度に設定した格子体６で負担させることができて、八角形ブロック７の強度を高く確保することができる。
【００１６】
封止ブロックとしては、八角形ブロック７の厚さに合致する一定の厚さであって、外形輪郭が等脚台形状のブロック８が用いられる。図３にはこの等脚台形状ブロック８が示されていて、図３（ａ）はその正面図、図３（ｂ）は図３（ａ）中、Ｂ−Ｂ線矢視断面図である。等脚台形状ブロック８は、長さの短い頂辺ｔｘが八角形ブロック７の縦辺ｙや横辺ｘの長さに合致する長さ寸法であって、斜辺ｔｗが八角形ブロック７の斜辺ｗの長さに合致する長さ寸法であって、長さの長い底辺ｔｂが八角形ブロック７の縦辺ｙ間や横辺ｘ間の長さ寸法に合致する長さ寸法で形成される。
【００１７】
等脚台形状ブロック８も詳細には、等脚台形状の外周枠体９と、この外周枠体９内方に設けられる２つの斜方片１０とが一体的に成形されて構成される。斜め向きの２つの斜方片１０の一端はそれぞれ各斜辺ｔｗ上端に、また他端はそれぞれ底辺ｔｂ中央に連結され、これにより外周枠体９内にも、複数の孔部Ｈが形成される。これら外周枠体９および斜方片１０にも、適宜に補強用鉄筋を埋設してもよい。また、八角形ブロック７と同様に、斜方片１０の強度を、外周枠体９の強度よりも高く設定することが好ましい。このようにすることで、斜辺ｔｗを介して斜め方向から作用する圧縮力や引張力を、高強度に設定した斜方片１０で負担させることができ、等脚台形状ブロック８の強度を高く確保することができる。等脚台形状ブロック８としては、本実施形態のように孔部Ｈを有するものに限らず、孔部Ｈが一切ない形態のものであってもよい。
【００１８】
本実施形態にあっては、外形寸法が最も大きな八角形ブロック７で、例えば５００ｍｍ程度で形成される。これ以外の外形寸法であってもよいことはもちろんである。これら八角形ブロック７および等脚台形状ブロック８はいずれも、プレキャストコンクリート製とされる。
【００１９】
これらブロック７，８は、強度の高いコンクリートで形成することが好ましく、例えば、鋼繊維やガラス繊維などの補強繊維材を混入した繊維補強セメントや繊維補強モルタル、繊維補強コンクリートによって形成される。これにより、軽量であってかつ高強度のブロック７，８を形成することができる。またこれらブロック７，８については、格子体６部分や斜方片１０部分に対し、環状枠体５部分や外周枠体９部分のコンクリートよりも高強度なコンクリートを選定するようにして、異種コンクリートの打ち分けにより形成してもよい。
【００２０】
八角形ブロック７は、開口部分４の上下方向および左右方向に縦横に配設される。この際、隣接する八角形ブロック７同士は必ず、斜辺ｗ同士が向かい合う配列とされる。すなわち、図１に示したように、いずれか１つの八角形ブロック７を例にとると、４つある斜辺ｗそれぞれに、４つの八角形ブロック７それぞれのいずれか１つの斜辺ｗが向かい合うように配列される。これにより、八角形ブロック７の右側および左側それぞれに、縦辺ｙの長さ寸法の間隔を隔てて八角形ブロック７が２つずつ配列される。この配列はまた、八角形ブロック７の上側および下側それぞれに、横辺ｘの長さ寸法の間隔を隔てて八角形ブロック７が２つずつ位置する関係にもなる。そして互いに間隔を隔てる八角形ブロック７相互の関係では、横辺ｘ同士や縦辺ｙ同士が向かい合う位置関係となる。
【００２１】
これにより、いずれかの１つの八角形ブロック７の周りには、他の４つの八角形ブロック７によって、これら八角形ブロック７の縦辺ｙや横辺ｘで取り囲まれる開口Ｓが形成される。開口Ｓから周りの八角形ブロック７を見ると、当該開口Ｓは、その周りに配列される４つの八角形ブロック７の縦辺ｙおよび横辺ｘで取り囲んで矩形状に形成される。また、斜辺ｗ同士が向かい合うように八角形ブロック７を配列することにより、斜め方向に隣接する八角形ブロック７の格子片６同士が右下がりおよび左下がりの斜め方向に互いに一連に連続し、これにより八角形ブロック７によって開口部分４内には、右下がりおよび左下がりの斜方構造要素１１が構成される。
【００２２】
これら八角形ブロック７のうち、柱２や梁３に接する部分の八角形ブロック７は、それらの縦辺ｙや横辺ｘが柱面２ａや梁面３ａに向かい合うように配設される。そのため、八角形ブロック７の斜辺ｗは柱面２ａや梁面３ａに当接し得ないため、八角形ブロック７の斜辺ｗと柱面２ａや梁面３ａとの間には、隙間が生じる。これら隙間にはこれを封止するために、等脚台形状ブロック８が配設される。等脚台形状ブロック８は、それらの斜辺ｔｗが八角形ブロック７の斜辺ｗに向かい合い、底辺ｔｂが柱面２ａや梁面３ａに向かい合う配置で配設され、これにより頂辺ｔｘが八角形ブロック７の縦辺ｙや横辺ｘと組み合わされて、開口Ｓを形成する。また、斜辺ｗ，ｔｗ同士が向かい合う八角形ブロック７と等脚台形状ブロック８との間でも、斜辺ｗ，ｔｗ上端に連結された格子片６ａと斜方片１０とが互いに連続することとなり、八角形ブロック７による斜方構造要素１１が柱２や梁３と接合される。
【００２３】
図示例において、開口部分４の右上隅および右下隅に関しては、等脚台形状ブロック８をＬ字状に組み合わせ、これにより柱面２ａや梁面３ａと八角形ブロック７との間に生じる隙間を封止するようにしている。他方、開口部分４の左上隅や左下隅には、三角形状の隙間が生じている。この部分はそのままとしてもよいし、あるいは三角形状の封止ブロックを別途作製して、当該隙間に詰めるようにしてもよい。
【００２４】
隣接する八角形ブロック７同士は、それらの斜辺ｗが互いに接着材で接着されて、接合される。このように八角形ブロック７は斜辺ｗが他の八角形ブロック７との接合部になり、そしてまた応力伝達部になることから、接着材による接合強度を高く確保し、かつ、八角形ブロック７自体の耐力や耐震壁１としての構造強度を高く確保するために、縦辺ｙや横辺ｘの長さに対し、斜辺ｗの長さを長く形成することが好ましい。しかしながら、斜辺ｗを長く形成すると、開口Ｓの大きさが小さくなるので、開口Ｓの大きさとのバランスを考慮して、斜辺ｗの長さを設定することが望まれる。また、隣接する八角形ブロック７同士の応力伝達部となる斜辺ｗに格子体６を一体成形により連結するようにしていて、これにより八角形ブロック７に作用する圧縮力や引張力を適切に格子体６に負担させることが可能で、斜方構造要素１１によって適切に開口部分４に作用する水平外力を支持させることができる。
【００２５】
八角形ブロック７と等脚台形状ブロック８も、それらの斜辺ｗ、ｔｗが互いに接着材で接着されて、接合される。柱面２ａや梁面３ａに対する八角形ブロック７の接合は、それらの縦辺ｙや横辺ｘを接着材で接着することで行われる。柱面２ａや梁面３ａに対する等脚台形状ブロック８の接合は、それらの底辺ｔｂを接着材で接着することで行われる。これにより、ブレース様の斜方構造要素１１が柱面２ａや梁面３ａに対して接合される。
【００２６】
本実施形態にかかる耐震壁１の構築方法は、開口部分４にその内周に沿って適宜に等脚台形状ブロック８を配設していく工程と、開口部分４に縦横に、八角形ブロック７を配設していく工程と、互いに対面し合うこれらブロック７，８相互やこれらブロック７，８と柱面２ａおよび梁面３ａとを接着材で接着していく工程とを備える。要するに、開口部分４に行き渡るようにブロック７，８を配設していく手順と、ブロック７，８同士およびこれらブロック７，８と柱２および梁３とをエポキシ樹脂などの接着材で接合する手順を適宜タイミングで行って、ブロック７，８で開口部分４に壁１を構築すればよい。殊に、八角形ブロック７の縦辺ｙや横辺ｘ、斜辺ｗの寸法に合わせて等脚台形状ブロック８を形成しているので、例えば、等脚台形状ブロック８を開口部分４の下部に沿って、八角形ブロック７の横辺ｘの長さ寸法の間隔を隔てて配列すれば、これら等脚台形状ブロック８を定規として順次八角形ブロック７を縦横方向に容易かつ適切に配列していくことができる。
【００２７】
以上説明した本実施形態にかかる耐震壁１およびその構築方法にあっては、八角形状の環状枠体５と当該環状枠体５の斜辺ｗに一体成形により連結した格子体６とで構成され、斜辺ｗ同士が向かい合う配列で開口部分４に縦横に配設され互いに接合されて、縦辺ｙおよび横辺ｘで取り囲んだ開口Ｓを形成する八角形ブロック７を主体とするので、従来のようにブロック自体に単に窓状孔などを形成するのとは異なり、単体で形成された八角形ブロック７同士の組み合わせによって、八角形ブロック７そのものの強度は高く確保しつつ、採光や通風を確保する開口Ｓを合理的に耐震壁１内に形成することができる。そしてこの開口Ｓの配列により、耐震壁１のデザイン性も向上することができる。
【００２８】
斜辺ｗ同士が接合される八角形ブロック７の環状枠体５の斜辺ｗに格子体６を一体成形により連結するようにして、開口部分４内に格子体６によってブレース様の斜方構造要素１１を構成するようにしたので、この斜方構造要素１１により、開口部分４に入力され斜辺ｗを介して作用する圧縮力や引張力を適切に支持させることができ、八角形ブロック７としても、また耐震壁１としても、その構造強度を高く確保することができる。また、環状枠体５や格子片６に補強用鉄筋を埋設したり、環状枠体５に対して格子片６ａのコンクリートを高強度なものに打ち分けたりすることによって、さらに強度増強を確保することができる。また、格子体６と環状枠体５とで構成される複数の孔部Ｈにより、さらに通風や採光を確保することができる。
【００２９】
また、八角形ブロック７自体の強度を高く確保できるとともに、八角形ブロック７と等脚台形状ブロック８の積み上げで堅固な耐震壁１が構築されるため、開口部分４周りや開口部分４内部に、補強用鉄筋などを配筋する必要がなく、従って、八角形ブロック７同士、八角形ブロック７と等脚台形状ブロック８、これらブロック７，８と柱２および梁３とを、接着材で接着する接合作業で耐震壁１を構築することができる。このように接着材による接合で耐震壁１が構築されるので、騒音や振動、粉塵発生がなく、居ながらで耐震壁１を施工することができる。
【００３０】
また、八角形ブロック７の斜辺ｗの長さを、縦辺ｙや横辺ｘの長さよりも長く形成することで、採光や通風を確保しつつ、ブロック７自体の耐力、ブロック７同士の高い接合力、そしてまた耐震壁１としての高い強度とを確保することができる。また、封止ブロックとして、八角形ブロック７の斜辺ｗの長さに合致する長さの斜辺ｔｗと、八角形ブロック７の縦辺ｙや横辺ｘの長さに合致する長さの頂辺ｔｘを備える等脚台形状ブロック８を用いるようにしたので、開口部分４周りに配列した当該等脚台形状ブロック８を定規として容易かつ円滑に八角形ブロック７を積み上げていくことができる。
【００３１】
さらに、ブロック７，８を高靭性かつ高強度の繊維補強セメントや繊維補強モルタル、繊維補強コンクリートで形成するようにしたので、同程度の強度のブロックを普通コンクリートなどで製造する場合に比べて軽量化できるとともに、ブロック７，８自体、そしてまた耐震壁１の強度をさらに高く確保できて、無筋の耐震壁１とすることもでき、これにより施工性も向上することができる。さらに、本実施形態にあっては、最も大きな八角形ブロック７の外形寸法が５００ｍｍ程度とされるので、既設の建物での耐震壁１の増設の場合など、狭い空間の施工であっても、適切かつ円滑に耐震壁１を構築することができる。
【００３２】
また、八角形ブロック７については、力の伝達作用を有利に確保する面からいえば、外形輪郭を正八角形として斜辺を４５°に設定することが好ましい。また、縦辺ｙと横辺ｘの長さを異ならせることで、デザイン的に開口Ｓの形態を変更することができる。本実施形態にあっては、等脚台形状ブロック８を外周枠体９と斜方片１０とで構成するようにしたが、無垢のブロックとして形成してもよいことはもちろんである。
【図面の簡単な説明】
【００３３】
【図１】本発明にかかる耐震壁およびその構築方法の好適な一実施形態を示す正面図である。
【図２】図１に示した実施形態に用いられる八角形ブロックを説明する説明図である。
【図３】図１に示した実施形態に用いられる等脚台形状ブロックを説明する説明図である。
【符号の説明】
【００３４】
１  耐震壁
２  柱
３  梁
４  開口部分
５  環状枠体
６  格子体
７  プレキャストコンクリート製八角形ブロック
８  等脚台形状ブロック
Ｈ  孔部
Ｓ  開口
ｗ  環状枠体の斜辺
ｘ  環状枠体の横辺
ｙ  環状枠体の縦辺
ｔｗ  等脚台形状ブロックの斜辺
ｔｘ  等脚台形状ブロックの頂辺
【図１】
0004767703.tif 000002
【図２】
0004767703.tif 000003
【図３】
0004767703.tif 000004